(57)【要約】  【課題】  非常に優れた防犯効果をもつ錠を提供すること。  【解決手段】  シリンダ４が扉１の前面１ａより突出し、このシリンダ４の外周面が筒状のガード部材１１で覆われるとともに、前記ガード部材１１および扉１に形成されたシリンダ取付用穴６がカラー７で覆われている錠において、前記ガード部材１１がシリンダ４の軸まわりに回転自在であるとともに、ガード部材１１の前端部は、その外径が前端に近づくに従って大きくなるように形成された膨出部分１３を有している。  【選択図】  図１
2006016822.tif 000002
【特許請求の範囲】
【請求項１】
シリンダが扉の前面より突出し、このシリンダの外周面が筒状のガード部材で覆われるとともに、前記ガード部材および扉に形成されたシリンダ取付用穴がカラーで覆われている錠において、前記ガード部材がシリンダの軸まわりに回転自在であるとともに、ガード部材の前端部は、その外径が前端に近づくに従って大きくなるように形成された膨出部分を有していることを特徴とする錠。
【請求項２】
前記膨出部分の外周部が縦断側面視において円弧状となっている請求項１に記載の錠。
【発明の詳細な説明】
【技術分野】
【０００１】
本発明は、例えば、シリンダが扉の前面より突出しているタイプの錠に関する。
【背景技術】
【０００２】
近年、扉の室外側に設けられたシリンダを扉から引き抜いて錠を破壊し、扉を不正に開けるという犯罪が急増しており、シリンダが扉の前面より突出しているタイプの錠がその対象となっている。
【０００３】
そこで、図３（Ａ）〜（Ｃ）に示すような錠が提案されている。すなわち、前記錠は、扉１内部の適宜の位置に設けられる錠ケース２を備え、この錠ケース２には扉１の戸先側に突出可能なデッドボルト（図示していない）と、このデッドボルトを作動させるためのデッドハブ（本体ハブともいう。図示していない）とが内蔵されている。そして、デッドハブを介してデッドボルトを扉１の戸先側に突出させたときに施錠状態となり、後退させたときに解錠状態となる。また、錠ケース２または扉１には、前記デッドハブと連係するようにサムターン３とシリンダ４とが適宜に取り付けられ、扉１の室内側からはサムターン３を操作することによりデッドボルトを作動させて施解錠することができ、室外側からは特定の鍵を用いてシリンダ４を操作することによりデッドボルトを作動させて施解錠することができるように構成されている。
【０００４】
そして、前記シリンダ４は扉１の前面１ａより前方（図３（Ｂ）では左方）に突出し、このシリンダ４の外周面が円筒状のガード部材５で覆われるとともに、前記ガード部材５および扉１に形成されたシリンダ取付用穴６がカラー７で覆われている。ここで、前記シリンダ４の後部には小径部分４ａが形成されており、この小径部分４ａに係止する内向きのフランジ５ａがガード部材５の後端部に設けられている。これにより、ガード部材５はシリンダ４から離脱不可能に、且つその軸まわりに回転自在となっている。
【０００５】
なお、図３（Ｂ）において、８は前記デッドハブを操作する操作片、１０はシリンダ４の前面に取り付けられるシリンダカバー、９はシリンダカバー１０とカラー７との間に設けたスプリングである。そして、図３（Ｂ）に示すように、ガード部材５の前端部はシリンダ４の外周面とシリンダカバー１０の周縁に設けられたフランジ部分１０ａとの間に挿入されている。
【０００６】
上記の構成からなる錠では、前記カラー７およびシリンダカバー１０は、ガード部材５の外周部に圧入によって取り付けられているだけである。従って、図４に示すように、カラー７およびシリンダカバー１０をスプリング９とともに外し、ガード部材５を露出させることは比較的容易である。しかし、前記ガード部材５は軸まわりに回転自在となっているので、工具等によってガード部材５に加えられた力を、ガード部材５の回転によってある程度逃がすことができる。そのため、このガード部材５の内側に設けられたシリンダ４に対する破壊を完全に防止するとまではいかなくとも、その破壊のための作業が手間のかかるものとなり、これによって防犯効果を高めることができる。
【発明の開示】
【発明が解決しようとする課題】
【０００７】
ところが、上記従来の錠では、モンキーレンチＭ（図４参照）やスピードレンチＳ（図２参照）などの工具でガード部材５を挟持すること自体は難しくなく、工具を用いて挟持された状態のガード部材５にうまく力が加えられると、シリンダ４が錠ケース２から取り外されてしまい、錠が短時間で不正解錠されてしまうという懸念があった。
【０００８】
そこで、本発明者は、鋭意研究の結果、上記のような犯罪を効果的に防止することができる錠の開発に成功した。
【０００９】
本発明は上述の事柄に留意してなされたもので、その目的は、非常に優れた防犯効果をもつ錠を提供することである。
【課題を解決するための手段】
【００１０】
上記目的を達成するために、本発明の錠は、シリンダが扉の前面より突出し、このシリンダの外周面が筒状のガード部材で覆われるとともに、前記ガード部材および扉に形成されたシリンダ取付用穴がカラーで覆われている錠において、前記ガード部材がシリンダの軸まわりに回転自在であるとともに、ガード部材の前端部は、その外径が前端に近づくに従って大きくなるように形成された膨出部分を有していることを特徴としている（請求項１）。
【００１１】
そして、前記膨出部分の外周部が縦断側面視において円弧状となっていることが望ましい（請求項２）。
【発明の効果】
【００１２】
請求項１および２に係る発明では、非常に優れた防犯効果をもつ錠が得られる。すなわち、図３および図４に示す上記従来の錠では、ガード部材５がその前端から後端までほぼ一定の外径を有していたために、モンキーレンチＭやスピードレンチＳ等の工具による挟持が容易であった。これに対して、本発明の錠では、ガード部材の前端部に膨出部分を設けているので、前記工具により挟持して破壊しようとする力をかけることを困難あるいは不可能とすることができ、工具を用いた破壊を極めて効果的に防止することができる。
【発明を実施するための最良の形態】
【００１３】
図１および図２は本発明の一実施の形態を示す。なお、図１および図２において、図３および図４に示した符号と同一符号は同一部材を指す。
【００１４】
本発明の一実施の形態に係る錠は、図３および図４に示す上記従来の錠と比べて、ガード部材５がガード部材１１となっている点で異なり、他の構成は同じである。従って、以下には、前記ガード部材１１の構造について主に説明し、他の構成についての詳細な説明は省略する。
【００１５】
前記ガード部材１１は、筒状（ほぼ円筒状）で、焼き入れ等によって硬度が高められた金属（例えば鋼製）よりなり、シリンダ４およびシリンダカバー１０のフランジ部分１０ａを覆うように構成されている。そして、このガード部材１１の前端部とフランジ部分１０ａの間に、カラー７の折り返し部分７ａが挿入（圧入）されている。
【００１６】
また、ガード部材１１の後端部には、シリンダ４の小径部分４ａに係止する内向きのフランジ１１ａが形成されている。これにより、ガード部材１１はシリンダ４から離脱不可能に、且つその軸まわりに回転自在となっている。さらに、ガード部材１１の内周面には、スプリング９の後端を係止させるための係止部１２が形成されている。
【００１７】
そして、ガード部材１１の前端部は、その外径が前端に近づくに従って大きくなるように形成された膨出部分１３を有している。詳しくは、この膨出部分１３の外周部は縦断側面視において円弧状となっており、この実施の形態では、前記膨出部分１３は、厚みがほぼ一定で、図２に示すように、ガード部材１１の軸線を完全に含む平面で切断したときに、その外面の断面形状がガード部材１１の前端部Ｐ，Ｐ’を中心として半径Ｒの円弧状となるとともに、前記軸線と直交する平面で切ったときに環状を呈するように形成されている。
【００１８】
また、前記膨出部分１３の前後方向（図１（Ｂ）では左右方向）の長さは、ガード部材１１の扉１の前面１ａより前方に突出している部分全体の１／２〜２／３程度となっており、ガード部材１１の膨出部分１３よりも後側の残りの部分は、外径がほぼ一定となるように形成されている。
【００１９】
上記の構成からなる本発明の錠においても、カラー７は、従来と同様、折り返し部分７ａがガード部材１１の前端部とシリンダカバー１０のフランジ部分１０ａの間に圧入され、取り付けられているだけである。従って、図２に示すように、カラー７を外し、ガード部材１１を露出させることは比較的容易である。
【００２０】
しかし、上述したように、前記ガード部材１１は、前端部に膨出部分１３を有しており、モンキーレンチＭやスピードレンチＳ等の工具による挟持を非常に困難もしくは不可能とする構造になっている。例えば、図４に示したモンキーレンチＭでガード部材１１を挟持しようとしても、膨出部分１３が存在するためにモンキーレンチＭの安定性が悪くなり、モンキーレンチＭを介してガード部材１１に力を加えることが非常に困難となる。
【００２１】
また、図２に示すように、スピードレンチＳでガード部材１１を挟持して破壊しようとする力をかけようとしても、ガード部材１１はそのような力がかからない構造となっている。すなわち、スピードレンチＳは、先端部に第一挟持部分１４が設けられ、後部に手で握るためのグリップ部（図示していない）が設けられたベース体１５と、このベース体１５に軸支２０され、かつ前記第一挟持部分１４とで挟持する第二挟持部分１６が設けられた回動体１７とを備え、前記回動体１７は図２において符号Ｑで示す方向に回転して挟持し易くするように図示していない付勢手段によって付勢されている。
【００２２】
そして、スピードレンチＳでガード部材１１を挟持して破壊しようとする力をかけるには、第一挟持部分１４をガード部材１１の前端部Ｐに当接させるとともに、第二挟持部分１６をガード部材１１の前端部Ｐ’に当接させ、第一挟持部分１４とガード部材１１との当接点Ｐ（≒前端部Ｐ）を支点にして、図２においてスピードレンチＳを左回りに回転してトルクをかける必要がある。このとき、前記膨出部分１３の外周部の縦断側面形状が、ガード部材１の前端部Ｐ，Ｐ’を中心として半径Ｒの円弧状を有しているので、第一挟持部分１４とガード部材１１との当接点Ｐを中心として半径Ｒの回転移動をしようとする第二挟持部分１６は、ガード部材１１の外径Ｒを有する膨出部分１３に沿って移動するためガード部材１１に係止しない。従って、ガード部材１１に破壊する力をかけることが不可能となる。
【００２３】
なお、第二挟持部分１６とガード部材１１の膨出部分１３との接点Ｐ’を支点としてスピードレンチＳを図２において右回りに回転させ、ガード部材１１を破壊しようとする力をかけようとしても、スピードレンチＳの構造上、可動体１７の第二挟持部分１６は支点とはなり得ず、第一挟持部分１４がガード部材１１から離れ、上記の力をガード部材１１にかけることはできない。また、例えば、図２に示すスピードレンチＳを上下逆の状態にして、ガード部材１１に対して第一挟持部分１４と第二挟持部分１６とを当接させる位置を変えた場合、ガード部材１１の膨出部分１３はその軸まわりに対称な形状となっているので、前記と同様にガード部材１１に破壊する力をかけることは不可能である。ここで、スピードレンチＳによるガード部材１１の挟持を確実に不可能とするために、前記ガード部材１１の外周部全体を、前記第二挟持部分１６の係止を不可能とするようになるべく滑らかに形成しておくことが望ましい。
【００２４】
そして、工具で挟持して破壊しようとする力をかけることを非常に困難もしくは不可能とする構造に加え、ガード部材１１は軸まわりに回転自在となっているので、ガード部材１１の内側に設けられたシリンダ４を破壊するための作業が非常に困難で手間のかかるものとなり、シリンダ４の破壊が完了するまでの時間が大変長くなる。すなわち、本発明に係る錠では、極めて高い防犯効果が得られる。
【００２５】
なお、本発明は上記の実施の形態に限られず、種々に変形して実施することができる。すなわち、上記実施の形態では、前記膨出部分１３の前後方向の長さを、ガード部材１１の扉１の前面１ａより前方に突出している部分全体の１／２〜２／３程度とし、膨出部分１３よりも後側の残りの部分は、外径をほぼ一定としている。しかし、上記の構成に限られず、例えば、ガード部材１１の扉１の前面１ａより前方に突出している部分全体が前記膨出部分１３となるように構成してもよい。
【図面の簡単な説明】
【００２６】
【図１】（Ａ）、（Ｂ）および（Ｃ）は、本発明の一実施の形態に係る錠の構成を概略的に示す正面図、縦断側面図および背面図である。
【図２】カラーが外された状態の前記錠の構成を概略的に示す縦断側面図である。
【図３】（Ａ）、（Ｂ）および（Ｃ）は、従来の錠の構成を概略的に示す正面図、縦断側面図および背面図である。
【図４】カラー、スプリングおよびシリンダカバーが外された状態の前記従来の錠の構成を概略的に示す縦断側面図である。
【符号の説明】
【００２７】
１    扉
１ａ  前面
４    シリンダ
６    シリンダ取付用穴
７    カラー
１１    ガード部材
１３    膨出部分
【図１】
2006016822.tif 000003
【図２】
2006016822.tif 000004
【図３】
2006016822.tif 000005
【図４】
2006016822.tif 000006